(57)【要約】【課題】マーカを挿入して被検者の放射線画像を撮影する時に、撮影台の上にマーカを置くことができない場合であっても、マーカの位置を知ることができる放射線画像撮影装置を提供する。【解決手段】放射線画像撮影装置は、放射線源から撮影台上に照射される放射線の照射野領域を調節するコリメータと、コリメータの動作を制御するコリメータ制御装置と、撮影台の内部に配置された複数のマーカおよびマーカの移動手段と、照射野領域の調節に連動して、マーカの位置を移動するようにマーカの移動手段の動作を制御するマーカ制御装置とを備える。【選択図】図１
2012152421.tif 000002
【特許請求の範囲】
【請求項１】
放射線源から放射線を、撮影台上に位置決めされた被検者に照射することによって、該被検者の放射線画像を撮影する放射線画像撮影装置であって、
前記放射線源から前記撮影台上に照射される放射線の照射野領域を調節するコリメータと、
前記コリメータの動作を制御するコリメータ制御装置と、
前記撮影台の内部に配置された複数のマーカおよび該マーカの移動手段と、
前記照射野領域の調節に連動して、前記マーカの位置を移動するように前記マーカの移動手段の動作を制御するマーカ制御装置とを備えることを特徴とする放射線画像撮影装置。
【請求項２】
前記コリメータ制御装置は、撮影距離の情報および照射野領域の情報に応じて、前記コリメータが有する放射線遮蔽板の位置を制御するものである請求項１に記載の放射線画像撮影装置。
【請求項３】
前記撮影台の内部には４つのマーカが矩形状に配置され、
前記コリメータは、照明光を照射して前記照射野領域の範囲を照明する照射野ランプを有し、
前記コリメータ制御装置は、前記照射野ランプから照明光を照射して、前記矩形状に配置された４つのマーカを含む矩形領域である実照射範囲を照明するように前記コリメータの動作を制御するものである請求項１または２に記載の放射線画像撮影装置。
【請求項４】
前記撮影台の内部には４つのマーカが矩形状に配置され、
前記コリメータは、照明光を照射して前記照射野領域の範囲を照明する照射野ランプを有し、
前記コリメータ制御装置は、前記照射野領域を調節し、前記照射野ランプから照明光を照射して、前記実照射範囲内で、前記矩形状に配置された４つのマーカを含まない矩形領域である有効画像範囲を照明するように前記コリメータの動作を制御するものである請求項１または２に記載の放射線画像撮影装置。
【請求項５】
前記コリメータ制御装置は、前記有効画像範囲の照明を停止した後、前記照射野領域を調節し、該照射野領域が前記実照射範囲となるように前記コリメータの動作を制御するものである請求項４に記載の放射線画像撮影装置。
【請求項６】
前記有効画像範囲は、４角が、前記矩形状に配置された４つのマーカのうちの各々対応するマーカに接する矩形領域である請求項４または５に記載の放射線画像撮影装置。
【請求項７】
前記有効画像範囲は、対向する２辺の一方の辺が、前記矩形状に配置された４つのマーカのうちの第１および第２のマーカに接し、他方の辺が、前記矩形状に配置された４つのマーカのうちの第３および第４のマーカに接する矩形領域である請求項４または５に記載の放射線画像撮影装置。
【発明の詳細な説明】
【技術分野】
【０００１】
本発明は、放射線画像の位置合わせのために、マーカを挿入して被検者（被写体）の放射線画像を撮影する放射線画像撮影装置に関するものである。
【背景技術】
【０００２】
放射線画像撮影装置として、例えば、トモシンセシス撮影や長尺撮影等のように、被検者の放射線画像を複数枚撮影し、撮影した複数枚の放射線画像を位置合わせして重ね合わせる、もしくは、つなぎ合わせることによって所望の合成画像を得るものがある。
【０００３】
トモシンセシス撮影では、例えば、放射線源を一方向に移動しながら被検者に異なる角度で放射線を順次照射し、被検者を透過した放射線を放射線検出器で検出することにより、撮影角度の異なる複数枚の放射線画像を撮影する。そして、撮影した複数枚の放射線画像を重ね合わせる画像合成処理を行うことによって、被検者の任意高さの断面における放射線断層画像の再構成を行う。
【０００４】
また、長尺撮影では、例えば、放射線源および放射線検出器を同期させて一方向に移動しながら被検者の異なる部位に放射線を順次照射し、被検者を透過した放射線を放射線検出器で検出することにより、撮影位置の異なる複数枚の放射線画像を撮影する。そして、撮影した複数枚の放射線画像をつなぎ合わせる画像合成処理を行うことによって、被検者の長尺画像を得ている。
【０００５】
上記の放射線画像撮影装置では、撮影した複数枚の放射線画像の位置合わせを行うために、マーカを挿入して被検者の放射線画像を撮影し、挿入したマーカの位置を基準として、撮影した複数枚の放射線画像の位置合わせを行う（特許文献１参照）。
【先行技術文献】
【特許文献】
【０００６】
【特許文献１】特開２００８−１４８８３６号公報
【発明の概要】
【発明が解決しようとする課題】
【０００７】
被検者を位置決めするための撮影台は硬く、しかも冷たいため、例えば、放射線が透過するマットで撮影台の表面を覆い、その上に被検者を位置決めすることがしばしば行われる。
【０００８】
この場合、撮影台の上に直接マーカを置くことができない。また、マットをめくって撮影台の上に直接マーカを置いたとしても、再び撮影台の表面をマットで覆うと、マットの上からではマーカの位置を知ることができない。従って、撮影したい被検者の部位とマーカ位置が重なっていないか、またマーカの量を見越した適切な照射野領域となっているか等をその場で知ることができないという問題があった。
【０００９】
本発明の目的は、マーカを挿入して被検者の放射線画像を撮影する時に、撮影台の上にマーカを置くことができない場合であっても、マーカの位置を知ることができる放射線画像撮影装置を提供することにある。
【課題を解決するための手段】
【００１０】
上記目的を達成するために、本発明は、放射線源から放射線を、撮影台上に位置決めされた被検者に照射することによって、該被検者の放射線画像を撮影する放射線画像撮影装置であって、
前記放射線源から前記撮影台上に照射される放射線の照射野領域を調節するコリメータと、
前記コリメータの動作を制御するコリメータ制御装置と、
前記撮影台の内部に配置された複数のマーカおよび該マーカの移動手段と、
前記照射野領域の調節に連動して、前記マーカの位置を移動するように前記マーカの移動手段の動作を制御するマーカ制御装置とを備えることを特徴とする放射線画像撮影装置を提供するものである。
【００１１】
ここで、前記コリメータ制御装置は、撮影距離の情報および照射野領域の情報に応じて、前記コリメータが有する放射線遮蔽板の位置を制御するものであることが好ましい。
【００１２】
また、前記撮影台の内部には４つのマーカが矩形状に配置され、
前記コリメータは、照明光を照射して前記照射野領域の範囲を照明する照射野ランプを有し、
前記コリメータ制御装置は、前記照射野ランプから照明光を照射して、前記矩形状に配置された４つのマーカを含む矩形領域である実照射範囲を照明するように前記コリメータの動作を制御するものであることが好ましい。
【００１３】
また、前記撮影台の内部には４つのマーカが矩形状に配置され、
前記コリメータは、照明光を照射して前記照射野領域の範囲を照明する照射野ランプを有し、
前記コリメータ制御装置は、前記照射野領域を調節し、前記照射野ランプから照明光を照射して、前記実照射範囲内で、前記矩形状に配置された４つのマーカを含まない矩形領域である有効画像範囲を照明するように前記コリメータの動作を制御するものであることが好ましい。
【００１４】
また、前記コリメータ制御装置は、前記有効画像範囲の照明を停止した後、前記照射野領域を調節し、該照射野領域が前記実照射範囲となるように前記コリメータの動作を制御するものであることが好ましい。
【００１５】
また、前記有効画像範囲は、４角が、前記矩形状に配置された４つのマーカのうちの各々対応するマーカに接する矩形領域であることが好ましい。
【００１６】
また、前記有効画像範囲は、対向する２辺の一方の辺が、前記矩形状に配置された４つのマーカのうちの第１および第２のマーカに接し、他方の辺が、前記矩形状に配置された４つのマーカのうちの第３および第４のマーカに接する矩形領域であることが好ましい。
【発明の効果】
【００１７】
本発明によれば、照射野領域の調節に連動して、マーカの位置を移動することによって、おおよそのマーカの位置を予測することができ、被検者の位置決めをすることが容易になる。また、本発明によれば、放射線の実照射範囲および有効画像範囲、すなわち、マーカの正確な位置を確認することができるため、被検者の位置決めを正確に行うことができる。
【図面の簡単な説明】
【００１８】
【図１】本発明の放射線画像撮影装置の構成を表す一実施形態のブロック図である。
【図２】図１に示す撮影台の構成を表す一例の斜視概念図である。
【図３】図１に示すコリメータ、コリメータ制御装置、撮影台、マーカ制御装置、および、制御装置の関係を表す概念図である。
【図４】撮影距離とコリメータの放射線遮蔽板の位置と撮影台上の照射野領域の寸法との関係を表す概念図である。
【図５】マーカと放射線の実照射範囲および有効画像範囲との関係を表す概念図である。
【図６】（Ａ）および（Ｂ）は、マーカと放射線の実照射範囲および有効画像範囲との関係を表す別の例の概念図である。
【発明を実施するための形態】
【００１９】
以下に、添付の図面に示す好適実施形態に基づいて、本発明の放射線画像撮影装置を詳細に説明する。
【００２０】
図１は、本発明の放射線画像撮影装置の構成を表す一実施形態のブロック図である。同図に示す放射線画像撮影装置１０は、マーカを挿入して被検者の放射線画像を複数枚撮影し、マーカの位置を基準として、撮影した複数枚の放射線画像を位置合わせして画像合成処理を行うことによって合成画像を得るものである。放射線画像撮影装置１０は、撮影装置１２と、コンソール１４とによって構成されている。
【００２１】
撮影装置１２は、被検者２８の放射線画像を撮影するものであって、放射線源１６と、線源制御装置１８と、コリメータ２０と、コリメータ制御装置２２と、撮影台２４と、マーカ制御装置２６とを備えている。
【００２２】
放射線源１６は、線源制御装置１８の制御により、被検者２８の放射線画像の撮影時に、所定強度の放射線を所定の時間だけ照射する。つまり、所定の照射量（線量）の放射線を照射する。
【００２３】
線源制御装置１８は、後述するコンソール１４の制御装置３４の制御により、撮影条件に応じて、放射線源１６の動作（放射線の照射）を制御する。
【００２４】
コリメータ（照射野絞り）２０は、放射線源１６から撮影台２４上に照射される放射線の領域（照射野領域）を調節するものであって、照射野領域のＸ方向およびＹ方向の寸法を調節するためのＸ方向およびＹ方向の放射線遮蔽板２１を備えている。また、コリメータ２０の内部には、放射線の代わりに照明光を撮影台２４上に照射して照射野領域の範囲を照明する照射野ランプ（図示省略）が設けられている。
【００２５】
放射線源１６およびコリメータ２０は一体型に構成され、撮影室の天井に設けられた天井走行システム（図示省略）に係合されて天井から吊り下げられている。天井走行システムにより、放射線源１６およびコリメータ２０の水平方向および垂直方向の位置は手動で自由に調節することが可能である。
【００２６】
コリメータ制御装置２２は、制御装置３４の制御により、後述する天井走行システムから入力される撮影距離ＳＩＤの情報、および、入力装置３２を介して入力される照射野領域の情報に応じて、コリメータ２０の動作（放射線遮蔽板２１の位置）を制御する。
【００２７】
図示例の撮影台２４は、臥位撮影台であって、放射線画像の撮影時に、被検者２８を位置決めするための台である。なお、撮影台２４として、立位撮影台を使用することもできる。撮影台２４の下側には、放射線検出器３０が配置されている。撮影台２４の内部には、撮影した複数枚の放射線画像の位置合わせのために、放射線画像の撮影時に挿入されて被検者２８とともに撮影される複数のマーカが配置されている。撮影台２４およびマーカの詳細については後述する。
【００２８】
放射線検出器３０は、例えば、フラットパネル型のもの（ＦＰＤ：フラットパネルディテクタ）であって、放射線源１６から照射され、被検者２８を透過した放射線を検出することによって、被検者２８が撮影された放射線画像の画像データを出力する。
【００２９】
マーカ制御装置２６は、制御装置３４の制御により、撮影台２４に内蔵されたマーカの配置を制御する。詳細は後述するが、マーカ制御装置２６は、照射野領域の調節に連動して、マーカの位置を移動するようにマーカの移動手段の動作を制御する。
【００３０】
続いて、コンソール１４は、放射線画像撮影装置１０全体の動作を制御するものであって、入力装置３２と、制御装置３４と、記録装置３６と、表示装置３８とを備えている。
【００３１】
入力装置３２は、例えば、撮影指示等の各種の指示や、撮影条件、照射野領域等の各種の情報を入力するためのものであって、キーボード、マウス等を例示することができる。
【００３２】
制御装置３４は、入力装置３２を介して入力される各種の指示や各種の情報に基づいて、線源制御装置１８、コリメータ制御装置２２、マーカ制御装置２６、記録装置３６、および、表示装置３８の動作を制御する。また、制御装置３４は、放射線検出器３０から入力される放射線画像の画像データに画像合成処理を含む各種の画像処理を施し、画像処理後の放射線画像を出力する。
【００３３】
記録装置３６は、制御装置３４の制御により、制御装置３４から出力される画像処理後の放射線画像等を含む各種の情報を記録するものであって、ハードディスク、ＣＤ−Ｒ，ＤＶＤ−Ｒ、プリンタ等を例示することができる。
【００３４】
表示装置３８は、制御装置３４の制御により、制御装置３４から出力される画像処理後の放射線画像等を含む各種の情報を表示するものであって、液晶ディスプレイ等を例示することができる。
【００３５】
次に、撮影台２４およびマーカの詳細について説明する。
【００３６】
図２は、図１に示す撮影台の構成を表す一例の斜視概念図である。同図に示すように、撮影台２４の内部には、２本のレール４０Ａ，４０Ｂと、４つの支持板４２Ａ１，４２Ａ２，４２Ｂ１，４２Ｂ２と、４つのマーカ４４Ａ１，４４Ａ２，４４Ｂ１，４４Ｂ２と、４つのモータ（図３参照）とが設けられている。レール４０Ａ，４０Ｂ、支持板４２Ａ１，４２Ａ２，４２Ｂ１，４２Ｂ２、および、モータは、本発明におけるマーカの移動手段の一例を構成する。
【００３７】
レール４０Ａ，４０Ｂは、撮影台２４の長手方向（図２中左右方向）に延びるように配置されている。レール４０Ａ，４０Ｂは、マーカ制御装置２６の制御で駆動されるモータにより、撮影台２４の幅方向（図２中上下方向）に移動される。
【００３８】
支持板４２Ａ１，４２Ａ２，４２Ｂ１，４２Ｂ２は、それぞれ対応するマーカ４４Ａ１，４４Ａ２，４４Ｂ１，４４Ｂ２を載置して支持するための台であって、支持板４２Ａ１，４２Ａ２がレール４０Ａに係合され、支持板４２Ｂ１，４２Ｂ２がレール４０Ｂに係合されている。それぞれの支持板４２Ａ１，４２Ａ２，４２Ｂ１，４２Ｂ２は、マーカ制御装置２６の制御で駆動されるモータにより、各々対応するレール４０Ａ，４０Ｂに沿って撮影台２４の長手方向に移動される。
【００３９】
マーカ４４Ａ１，４４Ａ２，４４Ｂ１，４４Ｂ２は、放射線を透過しない材料のものであって、それぞれ対応する支持板４２Ａ１，４２Ａ２，４２Ｂ１，４２Ｂ２の上に配置されている。マーカ制御装置２６の制御で駆動されるモータにより、照射野領域の調節に連動して、レール４０Ａ，４０Ｂおよび支持板４２Ａ１，４２Ａ２，４２Ｂ１，４２Ｂ２が移動され、それぞれのマーカ４４Ａ１，４４Ａ２，４４Ｂ１，４４Ｂ２が２次元的に移動される。
【００４０】
続いて、図３は、図１に示すコリメータ、コリメータ制御装置、撮影台、マーカ制御装置、および、制御装置の関係を表す概念図である。同図に示すように、撮影台２４の内部には、４つのモータ４６Ａ１，４６Ａ２，４６Ｂ１，４６Ｂ２が設けられている。また、コリメータ２０の内部には、照射野領域を調節するＸ方向およびＹ方向の放射線遮蔽板２１の位置を移動するためのＸモータ４８ＡおよびＹモータ４８Ｂが設けられている。
【００４１】
制御装置３４には、天井走行システムからの、放射線源１６から撮影台２４までの距離（撮影距離）ＳＩＤの情報と、入力装置３２からの、照射野領域の寸法Ｘ，Ｙの情報とを含むコリメータ開口情報が入力される。制御装置３４は、撮影距離ＳＩＤおよび照射野領域の寸法Ｘ，Ｙの情報に対応する、コリメータ２０のＸ方向およびＹ方向の放射線遮蔽板２１の位置、および、マーカ４４Ａ１，４４Ａ２，４４Ｂ１，４４Ｂ２の位置を計算して、コリメータ制御装置２２およびマーカ制御装置２６の動作を制御する。
【００４２】
図４は、撮影距離とコリメータの放射線遮蔽板の位置と撮影台上の照射野領域の寸法との関係を表す概念図である。同図に示すように、放射線源１６の陽極１７から撮影台２４までの距離ｌ（＝撮影距離ＳＩＤ）と、放射線源１６の陽極１７からコリメータ２０の放射線遮蔽板２１までの距離ｍと、コリメータ２０の放射線遮蔽板２１の間隔ｎが分かれば、照射野領域の寸法ｋは、ｍ／ｎ＝ｌ／ｋの関係から、ｋ＝ｎｌ／ｍにより求めることができる。
【００４３】
ここで、距離ｌは、放射線源１６の高さに応じて天井走行システムから与えられる値、距離ｍは、放射線画像撮影装置１０に固有の固定値（既知）、間隔ｎは、コリメータ２０内のエンコーダ等により計測される値である。
【００４４】
コリメータ制御装置２２は、制御装置３４からコリメータ２０のＸ方向およびＹ方向の放射線遮蔽板２１の位置の情報を受け取り、この情報に応じて、Ｘモータ４８ＡおよびＹモータ４８Ｂを駆動し、コリメータ２０のＸ方向およびＹ方向の放射線遮蔽板２１の位置を移動する。これにより、天井走行システムから入力された撮影距離ＳＩＤの情報、および、入力装置３２を介して入力された照射野領域の情報に応じて、放射線源１６から撮影台２４上に照射される放射線の照射野領域が調節される。
【００４５】
一方、マーカ制御装置２６は、制御装置３４からマーカ４４Ａ１，４４Ａ２，４４Ｂ１，４４Ｂ２の位置の情報を受け取り、この情報に応じて、モータ４６Ａ１，４６Ａ２，４６Ｂ１，４６Ｂ２を駆動し、マーカ４４Ａ１，４４Ａ２，４４Ｂ１，４４Ｂ２の位置を移動する。これにより、マーカ４４Ａ１，４４Ａ２，４４Ｂ１，４４Ｂ２の位置は、照射野領域の調節に連動して移動される。
【００４６】
このように、照射野領域の調節に連動して、４つのマーカ４４Ａ１，４４Ａ２，４４Ｂ１，４４Ｂ２の位置を移動することによって、マーカのおおよその位置を予測することができ、被検者２８の位置決めをすることが容易になる。
【００４７】
なお、本実施形態では、マーカの移動手段として、レール４０Ａ，４０Ｂ、支持板４２Ａ１，４２Ａ２，４２Ｂ１，４２Ｂ２、および、モータ４６Ａ１，４６Ａ２，４６Ｂ１，４６Ｂ２を例示したが、本発明はこれに限定されず、各種の移動手段が利用可能である。
【００４８】
続いて、図５は、マーカと放射線の実照射範囲および有効画像範囲との関係を表す概念図である。同図に示すように、本実施形態の場合、マーカ４４Ａ１，４４Ａ２，４４Ｂ１，４４Ｂ２は矩形状に配置される。マーカ４４Ａ１，４４Ａ２，４４Ｂ１，４４Ｂ２を含む矩形領域が、放射線が照射される実照射範囲となり、実照射範囲内で、マーカ４４Ａ１，４４Ａ２，４４Ｂ１，４４Ｂ２を含まない矩形領域が、被検者の放射線画像を撮影するための有効画像範囲となる。
【００４９】
ここで、実照射範囲は、マーカ４４Ａ１，４４Ａ２，４４Ｂ１，４４Ｂ２を含む矩形の最小領域であることが望ましく、有効画像範囲は、実照射範囲内で、マーカ４４Ａ１，４４Ａ２，４４Ｂ１，４４Ｂ２を含まない矩形の最大領域であることが望ましい。
【００５０】
例えば、有効画像範囲は、図５に示すように、４角が、矩形状に配置された４つのマーカ４４Ａ１，４４Ａ２，４４Ｂ１，４４Ｂ２のうちの各々対応するマーカに接する矩形領域であることが望ましい。また、有効画像範囲は、図６（Ａ）に示すように、対向する２辺の一方の辺（図６中上辺）が、矩形状に配置された４つのマーカ４４Ａ１，４４Ａ２，４４Ｂ１，４４Ｂ２のうちの２つのマーカ４４Ａ２，４４Ｂ２に接し、他方の辺（同下辺）が、２つのマーカ４４Ａ１，４４Ｂ１に接する矩形領域であることが望ましい。
【００５１】
なお、図６（Ａ）に示す有効画像範囲において、その左右の辺は、実照射範囲の対応する左右の辺に接していてもよいし、それよりも内側にあってもよい。また、図６（Ｂ）に示すように、対向する２辺の一方の辺（図６中右辺）が、２つのマーカ４４４Ａ１，４４Ａ２に接し、他方の辺（同左辺）が、２つのマーカ４４Ｂ１，４４Ｂ２に接する矩形領域としてもよい。
【００５２】
前述のように、コリメータ開口情報が入力されると、この情報から制御装置３４によりコリメータ２０のＸ方向およびＹ方向の放射線遮蔽板２１の位置およびマーカ４４Ａ１，４４Ａ２，４４Ｂ１，４４Ｂ２の位置が計算され、制御装置３４の制御により、コリメータ制御装置２２によってコリメータ２０のＸ方向およびＹ方向の放射線遮蔽板２１の位置が移動され、マーカ制御装置２６によってマーカ４４Ａ１，４４Ａ２，４４Ｂ１，４４Ｂ２の位置が移動される。
【００５３】
その後、まず、ボタン２３が１回目に押下されると、コリメータ２０が有する照射野ランプから照明光が照射される。これにより、照明光によって撮影台２４上の実照射範囲が照明される。その後、ボタン２３を放すと、照明光の照射が停止される。
【００５４】
続いて、ボタン２３が２回目に押下されると、撮影台２４上の照射野領域が有効画像範囲となる位置にコリメータ２０のＸ方向およびＹ方向の放射線遮蔽板２１が移動され、つまり、照射野領域が調節され、照射野ランプから照明光が照射される。これにより、照明光によって撮影台２４上の有効画像範囲が照明される。その後、ボタン２３を放すと、照明光の照射が停止されるとともに、照射野領域が実照射範囲となる元の位置にコリメータ２０のＸ方向およびＹ方向の放射線遮蔽板２１が移動される。
【００５５】
なお、本実施形態の場合、１つのボタン２３を２度押しすることによって、実照射範囲および有効画像範囲を照明光で順次照射しているが、実照射範囲および有効画像範囲を照明光で照射するための手段は何ら限定されない。例えば、実照射範囲、有効画像範囲を照明光で照射するボタンを個別に設けてもよいし、あるいは、入力装置３２を介して、実照射範囲、有効画像範囲を照明光で照射するように指示を与えるようにしてもよい。
【００５６】
このようにして、放射線の実照射範囲および有効画像範囲、すなわち、４つのマーカ４４Ａ１，４４Ａ２，４４Ｂ１，４４Ｂ２の正確な位置を確認することができるため、被検者２８の位置決めを正確に行うことができる。
【００５７】
従って、実際の放射線画像の撮影時に、マーカ４４Ａ１，４４Ａ２，４４Ｂ１，４４Ｂ２の領域と注目領域とが重なって注目領域を撮影することができないということがなくなる。そのため、注目領域を撮影することができず、再撮影を行う必要が生じた場合と比べて被曝量の増大を防止することができる。また、マーカ４４Ａ１，４４Ａ２，４４Ｂ１，４４Ｂ２の領域を超える不必要な領域まで広く撮影することがなくなるため、余計な被曝を防止することができる。
【００５８】
上記のようにして被検者２８の位置決めが終了すると、続いて、撮影技師により、入力装置３２を介して撮影条件が設定され、撮影開始の指示が入力される。撮影開始の指示が入力されると、被検者２８の放射線画像の撮影が開始される。
【００５９】
撮影が開始されると、撮影装置１２において、放射線源１６から、撮影条件に応じて設定された強度の放射線が設定された時間だけ照射される。照射された放射線は、撮影台２４上の被検者２８を透過して放射線検出器３０に入射され、被検者２８を透過した放射線が放射線画像の画像データに変換される。続いて、放射線検出器３０から、撮影された放射線画像の画像データが出力される。
【００６０】
本実施形態の場合、上記の撮影が必要回数繰り返され、複数枚の放射線画像が撮影される。ここで、撮影装置１２で撮影された放射線画像には、被検者２８とともにマーカ４４Ａ１，４４Ａ２，４４Ｂ１，４４Ｂ２が挿入される。
【００６１】
制御装置３４では、放射線検出器３０から放射線画像の画像データを受け取り、画像合成処理を含む各種の画像処理が行われる。ここで、それぞれの放射線画像に撮影されたマーカ４４Ａ１，４４Ａ２，４４Ｂ１，４４Ｂ２の位置を基準として、複数枚の放射線画像の位置合わせが行われて画像合成処理が行われ、合成画像が生成される。画像処理後の放射線画像は、表示装置３８上に表示され、必要に応じてその画像データが記録装置３６に記録される。
【００６２】
なお、本発明の放射線画像撮影装置は、トモシンセシス撮影や長尺撮影に限らず、撮影した複数枚の放射線画像を位置合わせする目的で、マーカを挿入して被検者を撮影する場合に適用可能である。
【００６３】
本発明は、基本的に以上のようなものである。
以上、本発明について詳細に説明したが、本発明は上記実施形態に限定されず、本発明の主旨を逸脱しない範囲において、種々の改良や変更をしてもよいのはもちろんである。
【符号の説明】
【００６４】
１０  放射線画像撮影装置
１２  撮影装置
１４  コンソール
１６  放射線源
１７  陽極
１８  線源制御装置
２０  コリメータ
２１  放射線遮蔽板
２２  コリメータ制御装置
２４  撮影台
２６  マーカ制御装置
２８  被検者
３０  放射線検出器
３２  入力装置
３４  制御装置
３６  記録装置
３８  表示装置
４０Ａ，４０Ｂ  レール
４２Ａ１，４２Ａ２，４２Ｂ１，４２Ｂ２  支持板
４４Ａ１，４４Ａ２，４４Ｂ１，４４Ｂ２  マーカ
４６Ａ１，４６Ａ２，４６Ｂ１，４６Ｂ２，４８Ａ，４８Ｂ  モータ
【図１】
2012152421.tif 000003
【図２】
2012152421.tif 000004
【図３】
2012152421.tif 000005
【図４】
2012152421.tif 000006
【図５】
2012152421.tif 000007
【図６】
2012152421.tif 000008